(57)【特許請求の範囲】
【請求項１】
原子炉容器内にシュラウドを配置し、このシュラウド内に原子燃料を装荷してその原子燃料の発熱による沸騰によって冷却材をシュラウド内外で自然循環させる構造の自然循環型沸騰水型原子炉の流力振動試験方法において、
前記原子燃料を装荷する位置またはその下方位置の原子炉容器内に空気注入具を仮設し、
前記原子炉容器内の前記シュラウド内外に冷却材を溜め、
前記空気注入具に原子炉容器外から空気を送り込むことによって冷却材をシュラウド内外で循環させること、
を特徴とする自然循環型沸騰水型原子炉の流力振動試験方法。
【請求項２】
原子炉容器内にシュラウドを配置し、このシュラウド内に原子燃料を装荷してその原子燃料の発熱による沸騰によって冷却材をシュラウド内外で自然循環させる構造の自然循環型沸騰水型原子炉の流力振動試験方法において、
前記原子炉容器内に内蔵ポンプを仮設し、
前記原子炉容器内の前記シュラウド内外に冷却材を溜め、
前記内蔵ポンプを駆動することによって冷却材をシュラウド内外で循環させること、
を特徴とする自然循環型沸騰水型原子炉の流力振動試験方法。
【請求項３】
前記内蔵ポンプは電動の水中ポンプであって、前記原子炉容器外から前記水中ポンプに電力を供給する電源ケーブルを仮設すること、を特徴とする請求項２に記載の自然循環型沸騰水型原子炉の流力振動試験方法。
【請求項４】
前記内蔵ポンプはジェットポンプであって、このジェットポンプを駆動する駆動水を前記原子炉容器外から導入すること、を特徴とする請求項２に記載の自然循環型沸騰水型原子炉の流力振動試験方法。
【請求項５】
原子炉容器内にシュラウドを配置し、このシュラウド内に原子燃料を装荷してその原子燃料の発熱による沸騰によって冷却材をシュラウド内外で自然循環させ、前記原子炉容器の底部に制御棒駆動機構ハウジングを接続する構造の自然循環型沸騰水型原子炉の流力振動試験方法において、
前記原子炉容器外に外部ポンプを仮設し、
前記原子炉容器の底部から前記制御棒駆動機構ハウジングを切り離した状態でその原子炉容器の底部の切り離し部と前記外部ポンプの吐出側とを連絡する吐出側配管を仮設し、
前記原子炉容器内の前記シュラウド内外に冷却材を溜め、
前記外部ポンプによって前記原子炉容器の底部に冷却材を注入することによって前記シュラウド内に冷却材を流すこと、
を特徴とする自然循環型沸騰水型原子炉の流力振動試験方法。
【請求項６】
前記原子炉容器の前記シュラウド外の冷却材を前記外部ポンプの吸込み側に連絡する吸込み側配管を仮設し、
前記外部ポンプによって前記シュラウド内外の冷却材を循環させること、
を特徴とする請求項５に記載の自然循環型沸騰水型原子炉の流力振動試験方法。
【請求項７】
原子炉容器内にシュラウドを配置し、このシュラウド内に原子燃料を装荷してその原子燃料の発熱による沸騰によって冷却材をシュラウド内外で自然循環させる構造であって、貯蔵水プール内に溜められた冷却材を前記シュラウド外の前記原子炉容器内に重力によって注入できる重力落下式緊急炉心冷却系を有する自然循環型沸騰水型原子炉の流力振動試験方法において、
前記重力落下式緊急炉心冷却系による冷却材が前記原子炉容器内に流入する位置の上方で前記シュラウドの外側の前記原子炉容器内の環状部を仕切る閉止蓋を仮設し、
前記重力落下式緊急炉心冷却系により、前記貯蔵水プール内に溜められた冷却材を前記シュラウド外の前記原子炉容器内に注入することによって、冷却材をシュラウド内外に流すこと、
を特徴とする自然循環型沸騰水型原子炉の流力振動試験方法。
【請求項８】
原子炉容器内にシュラウドを配置し、このシュラウド内に原子燃料を装荷してその原子燃料の発熱による沸騰によって冷却材をシュラウド内外で自然循環させる構造の自然循環型沸騰水型原子炉の流力振動試験方法において、
前記原子炉容器内にヒータを仮設し、
前記原子炉容器内の前記シュラウド内外に冷却材を溜め、
前記ヒータを加熱することによって冷却材をシュラウド内外で循環させること、
を特徴とする自然循環型沸騰水型原子炉の流力振動試験方法。
【請求項９】
前記原子燃料を前記シュラウド内に装荷しない状態で行なうこと、を特徴とする請求項１ないし８のいずれか一項に記載の自然循環型沸騰水型原子炉の流力振動試験方法。
【請求項１０】
前記シュラウドの外側のシュラウド上下部の差圧を測定し、この差圧に基いて原子炉容器内の循環流量を評価すること、を特徴とする請求項１ないし９のいずれか一項に記載の自然循環型沸騰水型原子炉の流力振動試験方法。
【発明の詳細な説明】
【技術分野】
【０００１】
本発明は、自然循環型沸騰水型原子炉の健全性確認のために行なわれる流力振動試験の方法に関する。
【背景技術】
【０００２】
従来の通常の商業用沸騰水型原子炉は、原子燃料の核分裂反応で発生する熱を冷却材（水）に伝達し、水が蒸気になり、その蒸気がタービンを回転させることによりタービンに直結された発電機で電気を作っている。冷却材は、原子炉圧力容器の中に設けられた再循環ポンプ（ジェットポンプやインターナルポンプ）で強制的に燃料集合体へ供給されている。
【０００３】
一方、自然循環型沸騰水型原子炉は、従来の再循環ポンプを無くし、自然循環力で冷却材を燃料集合体に供給しようとするものである。自然循環流量を確保するために原子炉圧力容器を高くし、炉心を原子炉圧力容器の相対的に低い位置に設置し、炉心上部にチムニという大きな自由空間を設置している。自然循環流量は原子炉圧力容器内の一巡の流路を形成する役割を果たしているシュラウド内外（ダウンカマ部と炉心部）の密度差と炉心部の二相圧損（圧力損失）のバランスで決まる。このために原子炉圧力容器を高くしてダウンカマ部の水頭圧（ヘッド）を大きくし、炉心上部に大きな自由空間であるチムニを配置し、ここでの二相圧損を低減し水頭圧（ヘッド）を小さくして、シュラウド内外の密度差に基づく水頭圧差（ヘッド差）を大きくして自然循環流量を確保している（特許文献１参照）。
【特許文献１】特開平８−９４７９３号公報
【発明の開示】
【発明が解決しようとする課題】
【０００４】
新しい形の原子炉を開発し、建設した場合には、燃料集合体を原子炉圧力容器内に装荷する前に、原子炉圧力容器内に設置されている構造物が水の流れに対して健全であることを、実際に水を循環させて確認しておく必要がある。これは通常、流力振動試験と呼ばれている。しかし、自然循環型原子炉では、前述のとおり、従来原子炉のように原子炉圧力容器内の冷却材を強制的に循環させるためのポンプが設けられていないため、従来のやり方での流力振動試験を行なうことができない。
【０００５】
本発明は上記事情に鑑みてなされたものであって、自然循環型沸騰水型原子炉の流力振動試験を簡便に行なう方法を提供することを目的としている。
【課題を解決するための手段】
【０００６】
上記目的を達成するために、本発明の一つの態様では、原子炉容器内にシュラウドを配置し、このシュラウド内に原子燃料を装荷してその原子燃料の発熱による沸騰によって冷却材をシュラウド内外で自然循環させる構造の自然循環型沸騰水型原子炉の流力振動試験方法において、前記原子燃料を装荷する位置またはその下方位置の原子炉容器内に空気注入具を仮設し、前記原子炉容器内の前記シュラウド内外に冷却材を溜め、前記空気注入具に原子炉容器外から空気を送り込むことによって冷却材をシュラウド内外で循環させること、を特徴とする。
【０００７】
また、本発明の他の一つの態様では、原子炉容器内にシュラウドを配置し、このシュラウド内に原子燃料を装荷してその原子燃料の発熱による沸騰によって冷却材をシュラウド内外で自然循環させる構造の自然循環型沸騰水型原子炉の流力振動試験方法において、前記原子炉容器内に内蔵ポンプを仮設し、前記原子炉容器内の前記シュラウド内外に冷却材を溜め、前記内蔵ポンプを駆動することによって冷却材をシュラウド内外で循環させること、を特徴とする。
【０００８】
また、本発明のさらに他の一つの態様では、原子炉容器内にシュラウドを配置し、このシュラウド内に原子燃料を装荷してその原子燃料の発熱による沸騰によって冷却材をシュラウド内外で自然循環させ、前記原子炉容器の底部に制御棒駆動機構ハウジングを接続する構造の自然循環型沸騰水型原子炉の流力振動試験方法において、前記原子炉容器外に外部ポンプを仮設し、前記原子炉容器の底部から前記制御棒駆動機構ハウジングを切り離した状態でその原子炉容器の底部の切り離し部と前記外部ポンプの吐出側とを連絡する吐出側配管を仮設し、前記原子炉容器内の前記シュラウド内外に冷却材を溜め、前記外部ポンプによって前記原子炉容器の底部に冷却材を注入することによって前記シュラウド内に冷却材を流すこと、を特徴とする。
【０００９】
また、本発明のさらに他の一つの態様では、原子炉容器内にシュラウドを配置し、このシュラウド内に原子燃料を装荷してその原子燃料の発熱による沸騰によって冷却材をシュラウド内外で自然循環させる構造であって、貯蔵水プール内に溜められた冷却材を前記シュラウド外の前記原子炉容器内に重力によって注入できる重力落下式緊急炉心冷却系を有する自然循環型沸騰水型原子炉の流力振動試験方法において、前記重力落下式緊急炉心冷却系による冷却材が前記原子炉容器内に流入する位置の上方で前記シュラウドの外側の前記原子炉容器内の環状部を仕切る閉止蓋を仮設し、前記重力落下式緊急炉心冷却系により、前記貯蔵水プール内に溜められた冷却材を前記シュラウド外の前記原子炉容器内に注入することによって、冷却材をシュラウド内外に流すこと、を特徴とする。
【００１０】
また、本発明のさらに他の一つの態様では、原子炉容器内にシュラウドを配置し、このシュラウド内に原子燃料を装荷してその原子燃料の発熱による沸騰によって冷却材をシュラウド内外で自然循環させる構造の自然循環型沸騰水型原子炉の流力振動試験方法において、前記原子炉容器内にヒータを仮設し、前記原子炉容器内の前記シュラウド内外に冷却材を溜め、前記ヒータを加熱することによって冷却材をシュラウド内外で循環させること、を特徴とする。
【発明の効果】
【００１１】
本発明によれば、自然循環型沸騰水型原子炉の流力振動試験を簡便に行なうことができる。
【発明を実施するための最良の形態】
【００１２】
以下、本発明に係る自然循環型沸騰水型原子炉の流力振動試験の実施形態について、図面を参照して説明する。ここで、各実施形態で同一または類似の部分には共通の符号を付して、重複説明は省略する。
【００１３】
［第１の実施形態］
本発明に係る自然循環型沸騰水型原子炉の流力振動試験方法の第１の実施形態を、図１および図２を用いて説明する。
【００１４】
初めに、図２を参照して、自然循環型沸騰水型原子炉の構造を説明する。原子炉圧力容器（原子炉容器）１は鉛直方向を軸とするほぼ円筒状の容器であって、この中に鉛直方向に延びる筒状のシュラウド３１が配置され、シュラウド３１の内側に炉心３が内蔵されている。原子炉圧力容器１内でシュラウド３１の周りを囲んで円環状にダウンカマ１０が形成されている。
【００１５】
炉心３の下部に炉心支持板３２が配置され、炉心支持板３２の上に複数の燃料集合体（原子燃料）３ａが装荷され、一番外側がチャンネルボックス（図示せず）になっている。原子炉圧力容器１内で炉心支持板３２の下方には下部プレナム２が形成されている。炉心３の上には分割チムニ４が配置され、分割チムニ４の上方のシュラウド３１内側に上部プレナム５が形成されている。上部プレナム５の上方に複数のセパレータ（気水分離器）６が配置され、さらにセパレータの上方にドライヤ７が配置されている。シュラウド３１の下端部と原子炉圧力容器１内壁との間には円環状の開口があり、これによりダウンカマ１０と下部プレナム２とが連通している。
【００１６】
原子炉圧力容器１には、主蒸気配管８が接続され、さらに主蒸気配管８の接続部よりも下方で給水配管９が接続されている。原子炉圧力容器１の底部には、複数台の制御棒駆動機構が設けられており、制御棒駆動機構を収納する制御棒駆動機構ハウジング１１が林立している。
【００１７】
通常の原子炉運転時には、複数の燃料集合体（原子燃料）３ａが装荷され、各燃料集合体３ａの中には複数の燃料棒（図示せず）が配置されている。各燃料棒の間を冷却材である水が流れ、燃料集合体３ａでは核加熱により水が沸騰して気液二相状態になり、分割チムニ４に流入する。その後、上部プレナム５を上昇してセパレータ６に入り、水と蒸気が分離される。蒸気はセパレータ６の上方からドライヤ７に流入し、ここで湿分が除去され主蒸気配管８を経由してタービン（図示していない）に送られて発電を行なう。タービンで発電した蒸気は低温の水となって、給水配管９を通って原子炉圧力容器１に流入する。この給水配管９から供給された水とセパレータ６の下側から流出した戻り水とが混合して、ダウンカマ１０を自然循環流により下降し、下部プレナム２を経由して燃料集合体３ａに流入する。
【００１８】
流力振動試験では、図１に示すように、コンプレッサ１２を原子炉圧力容器１の外に仮設し、下部プレナム２内に空気注入具１４を仮設し、コンプレッサ１２と空気注入具１４とを仮設空気配管１３で結ぶようにする。空気注入具１４は、水中に注入された気泡１６を細分化するものであって、たとえば、水平方向に延びる複数の配管に多数の貫通孔を設けたものである。
【００１９】
このとき、燃料集合体３ａが装荷されていない状態で、原子炉圧力容器１内に水を張り、液面１５がセパレータ８付近のレベルになるようにしておく。流力振動試験では、コンプレッサ１２を起動し、下部プレナム２内に気泡１６を注入すると、気泡ポンプとなり、気泡１６に随伴されてシュラウド３１内の水が上昇する。水はチムニ４内を矢印１７ａに示すように上昇する。セパレータ６で水と気泡が分離され、水は矢印１７ｂに示すように流れを変え、ダウンカマ１０内を矢印１７ｃに示すように下降し、再び下部プレナム２内に入り、原子炉圧力容器１内を循環することができる。
【００２０】
流力振動試験が終了した後には、空気注入具１４および仮設空気配管１３は原子炉圧力容器１外に搬出される。そして、その後、燃料集合体３ａ（図２参照）が装荷される。
【００２１】
上記説明では、空気注入具１４を下部プレナム２内に仮設することとしたが、変形例として、これを炉心支持板３２の上方に仮設してもよい。これによっても、シュラウド３１の内側にできた気泡１６によりシュラウド３１内の冷却材に上昇流を起こさせることができる。
【００２２】
また、図１では、仮設空気配管１３が給水配管９を通るようにしているが、原子炉圧力容器１に設けられた他の開口部を通るようにしてもよい。
【００２３】
［第２の実施形態］
本発明に係る自然循環型沸騰水型原子炉の流力振動試験方法の第２の実施形態を、図３を用いて説明する。この実施形態は第１の実施形態の変形例であって、ダウンカマ１０の上部と下部の差圧を測定することによってダウンカマ１０内の水の流量を計測するために、計装配管１８、１９を、ダウンカマ１０の上部と下部に開口させている。具体的には、シュラウド３１の壁面の上部と下部に貫通孔が設けられ、それぞれの貫通孔に、シュラウド内側に配置された計装配管１８と１９が取り付けられている。そして、計装配管１８、１９は、原子炉圧力容器１の底部を貫通し、原子炉圧力容器１の外側に配置された差圧伝送器２０に接続されている。
【００２４】
ダウンカマ１０内に矢印１７ｃに示す下降流が生じると圧力損失が生じ、差圧が発生する。事前に流量と圧力損失との関係を求めておけば、差圧を測定することにより循環する流量を求めることができる。
【００２５】
［第３の実施形態］
本発明に係る自然循環型沸騰水型原子炉の流力振動試験方法の第３の実施形態を、図４を用いて説明する。
【００２６】
この実施形態では、複数台の内蔵ポンプ２１を炉心支持板３２上に仮設し、仮設の電源ケーブル２２で外部の電源（図示せず）と接続する構成とする。内蔵ポンプ２１は上向きの流れを起す向きに配置する。燃料集合体３ａが装荷されていない状態で、原子炉圧力容器１内に水を張り、液面１５がセパレータ８付近のレベルになるようにしておく。この状態で、内蔵ポンプ２１を起動することにより、シュラウド３１内外の水を循環させることができる。
【００２７】
流力振動試験が終了した後には、内蔵ポンプ２１および電源ケーブル２２は原子炉圧力容器１外に搬出される。そして、その後、燃料集合体３ａ（図２参照）が装荷される。
【００２８】
上記説明では、内蔵ポンプ２１を炉心支持板３２上に仮設することとしたが、変形例として、これを炉心支持板３２の下方の下部プレナム２内に仮設してもよい。これによっても、シュラウド３１内の冷却材に上昇流を起こさせることができる。また、内蔵ポンプ２１は必ずしも複数でなくともよく、１個でもよい。
【００２９】
さらに、図４では、電源ケーブル２２が給水配管９を通るようにしているが、原子炉圧力容器１に設けられた他の開口部を通るようにしてもよい。
【００３０】
［第４の実施形態］
本発明に係る自然循環型沸騰水型原子炉の流力振動試験方法の第４の実施形態を、図５を用いて説明する。
【００３１】
この実施形態では、仮設のジェットポンプ２３を、シュラウド３１と原子炉圧力容器１との間の環状空間すなわちダウンカマ２３の底部に設置する。そして、ジェットポンプ２３の駆動水は、原子炉圧力容器１の外部に置かれた駆動水ポンプ４０から駆動水配管２４を通じて供給する。
【００３２】
燃料集合体３ａが装荷されていない状態で、原子炉圧力容器１内に水を張り、液面１５がセパレータ８付近のレベルになるようにしておく。この状態で、駆動水ポンプ４０から駆動水配管２４を通じてジェットポンプ２３の駆動水を供給する。これにより、シュラウド３１内外の冷却材を循環させることができる。
【００３３】
また、図５では、駆動水配管２４が給水配管９を通るようにしているが、原子炉圧力容器１に設けられた他の開口部を通るようにしてもよい。また、駆動水ポンプ４０は流力振動試験専用のものでなくて他の用途のポンプを兼用してもよい。
【００３４】
流力振動試験が終了した後には、ジェットポンプ２３および駆動水配管２４は原子炉圧力容器１外に搬出される。そして、その後、燃料集合体３ａ（図２参照）が装荷される。
【００３５】
［第５の実施形態］
本発明に係る自然循環型沸騰水型原子炉の流力振動試験方法の第５の実施形態を、図６を用いて説明する。
【００３６】
原子炉圧力容器１の下部には複数台の制御棒駆動機構が設けられており、制御棒駆動機構を収納する制御棒駆動機構ハウジング１１が林立している。
【００３７】
この実施形態では、原子炉圧力容器１の外側に外部ポンプ２７が配置される。流力振動試験時には、制御棒駆動機構を取り外し、下端のフランジ２６に吐出側配管２５を取り付け、吐出側配管２５には、外部ポンプ２７の吐出側を接続する。また、外部ポンプ２７の吸込み側は吸込み側配管４２を介して給水配管９に接続する。
【００３８】
燃料集合体３ａが装荷されていない状態で、原子炉圧力容器１内に水を張り、液面１５がセパレータ８付近のレベルになるようにしておく。この状態で、外部ポンプ２７を駆動することにより、下部プレナム２内に水を供給し、シュラウド３１内を上昇した冷却材を給水配管９から原子炉圧力容器１外に導き、冷却材を循環させることができる。
【００３９】
流力振動試験が終了した後には、吐出側配管２５とフランジ２６とを切り離し、また、吸込み側配管４２と給水配管９とを切り離す。さらに、制御棒駆動機構を制御棒駆動機構ハウジング１１内に取り付ける。そして、その後、燃料集合体３ａ（図２参照）を装荷する。
【００４０】
なお、図６では、吸込み側配管４２を給水配管９に接続するようにしているが、原子炉圧力容器１に設けられた他の開口部に接続するようにしてもよい。さらに、他の例として、吸込み側配管４２を原子炉圧力容器１外の水タンクなどに接続し、原子炉圧力容器１から排出された冷却水を循環しないで開ループとすることも可能である。さらに、外部ポンプ２７は流力振動試験専用のものでなくて他の用途のポンプを兼用してもよい。
【００４１】
［第６の実施形態］
本発明に係る自然循環型沸騰水型原子炉の流力振動試験方法の第６の実施形態を、図７を用いて説明する。
【００４２】
この実施形態における自然循環型沸騰水型原子炉では、非常時に重力によって原子炉圧力容器１内に水を注入するための重力落下式緊急炉心冷却系（ＧＤＣＳ、Gravity-Driven Core cooling System）４４が設けられている。この重力落下式緊急炉心冷却系４４の水源として、貯蔵水プール２８が炉心高さよりも高い位置に設けられている。貯蔵水プール２８と原子炉圧力容器１内のダウンカマ１０とがＧＤＣＳ配管２９によって接続され、ＧＤＣＳ配管２９の途中にＧＤＣＳ弁４６が配置されている。
【００４３】
この実施形態では、流力振動試験に先立ち、原子炉圧力容器１とシュラウド３１との間のダウンカマ１０の上部で、ＧＤＣＳ配管２９の原子炉圧力容器１との接続部よりも上方の環状部に、閉止蓋３０を仮設する。流力振動試験時には、燃料集合体３ａが装荷されていない状態で、原子炉圧力容器１内に水を張り、液面１５がセパレータ８付近のレベルになるようにしておく。この状態で、ＧＤＣＳ弁４６を開き、貯蔵水プール２８内の水を、ＧＤＣＳ配管２９を通じてダウンカマ１０内に注入する。このとき、閉止蓋３０の存在によって、ダウンカマ１０内に注入された水が上方へ向かわずに下降し、下部プレナム２からシュラウド３１内側を上昇する。そして、セパレータ６を通った水は給水配管９を通して排出される。これにより、シュラウド３１内外に冷却材を流すことができる。
【００４４】
流力振動試験が終了した後には、ＧＤＣＳ弁４６を閉じ、閉止蓋３０を取り外して原子炉圧力容器１外に取り出す。そして、その後、燃料集合体３ａ（図２参照）を装荷する。
【００４５】
［第７の実施形態］
本発明に係る自然循環型沸騰水型原子炉の流力振動試験方法の第７の実施形態を、図８を用いて説明する。
【００４６】
この実施形態では、複数台の電気ヒータ３３を炉心支持板３２上に仮設し、仮設の電源ケーブル２２で外部の電源（図示せず）と接続する構成とする。
【００４７】
燃料集合体３ａが装荷されていない状態で、原子炉圧力容器１内に水を張り、液面１５がセパレータ８付近のレベルになるようにしておく。この状態で、電気ヒータ３３を加熱すると、水が加熱されて高温になり、自然対流によってシュラウド３１内外の水を循環させることができる。電気ヒータ３３による加熱をさらに進めて水が沸騰するようにすれば、循環がさらに促進される。
【００４８】
流力振動試験が終了した後には、電気ヒータ３３および電源ケーブル２２は原子炉圧力容器１外に搬出される。そして、その後、燃料集合体３ａ（図２参照）が装荷される。
【００４９】
上記説明では、電気ヒータ３３を炉心支持板３２上に仮設することとしたが、変形例として、これを炉心支持板３２の下方の下部プレナム２内に仮設してもよい。これによっても、シュラウド３１内の冷却材に上昇流を起こさせることができる。また、電気ヒータ３３は必ずしも複数でなくともよく、１個でもよい。
【００５０】
さらに、図８では、電源ケーブル２２が給水配管９を通るようにしているが、原子炉圧力容器１に設けられた他の開口部を通るようにしてもよい。
【００５１】
［第８の実施形態］
本発明に係る自然循環型沸騰水型原子炉の流力振動試験方法の第８の実施形態を、図９を用いて説明する。
【００５２】
この実施形態では、流力振動試験に先立ち、第６の実施形態（図７）と同様に、原子炉圧力容器１とシュラウド３１との間のダウンカマ１０の上部で、ＧＤＣＳ配管２９の原子炉圧力容器１との接続部よりも上方の環状部に、閉止蓋３０を仮設する。
【００５３】
また、原子炉圧力容器１の外側に外部ポンプ５７が配置される。外部ポンプ５７の吐出側には吐出側配管５５が接続され、吸込み側には吸込み側配管５２が接続される。閉止蓋３０には開口６２が設けられ、吐出側配管５５は、給水配管９を通じて閉止蓋３０の開口６２に接続される。吸込み側配管５２は主蒸気配管８に接続されている。
【００５４】
流力振動試験では、ドライヤ７を原子炉圧力容器１外に取り出し、燃料集合体３ａが装荷されていない状態で、原子炉圧力容器１内に水を張り、液面１５が主蒸気配管８の出口高さよりも高いレベルになるようにしておく。この状態で、外部ポンプ５７を駆動することにより、下部プレナム２内に水を供給し、シュラウド３１内を上昇した冷却材を主蒸気配管８から原子炉圧力容器１外に導き、冷却材を循環させることができる。
【００５５】
流力振動試験が終了した後には、閉止蓋３０を原子炉圧力容器１から取り出し、吐出側配管５５と給水配管９とを切り離し、さらに、吸込み側配管４２と主蒸気配管９とを切り離す。そして、その後、燃料集合体３ａ（図２参照）を装荷する。
【００５６】
なお、図９では、吸込み側配管５２を主蒸気配管８に接続するようにしているが、閉止蓋３０よりも上方で原子炉圧力容器１に設けられた他の開口部に接続するようにしてもよい。さらに、他の例として、吸込み側配管５２を原子炉圧力容器１外の水タンクなどに接続し、原子炉圧力容器１から排出された水を循環しないで開ループとすることも可能である。さらに、外部ポンプ５７は流力振動試験専用のものでなくて他の用途のポンプを兼用してもよい。
【００５７】
［他の実施形態］
以上説明した各実施形態は単なる例示であって、本発明はこれらに限定されるものではない。
【００５８】
たとえば、上記各実施形態では原子炉圧力容器１の上蓋６０を閉じた状態で流力振動試験を行なうこととしているが、上蓋６０を開放した状態で行なってもよい。また、第１〜第７の実施形態ではドライヤ７を設置した状態で流力振動試験を行なうこととしているが、ドライヤ７を原子炉圧力容器１に取り出した状態で行なうこともできる。さらに、セパレータ６も原子炉圧力容器１に取り出した状態で流力振動試験を行なうこともできる。
【００５９】
また、上記各実施形態では燃料集合体３ａを全く装荷しない状態で流力振動試験を行なうものとしたが、一部または全部の燃料集合体３ａを装荷した状態でも行なうことが可能である。
【００６０】
さらに、上記実施形態の特徴部分を複数用いてもよいし、異なる特徴部分を組み合わせて用いてもよい。たとえば、第２の実施形態（図３）の差圧伝送器２０などによる計測は第１の実施形態との組合せに限定されるものではなく、第３ないし第８のいずれの実施形態と組み合わせることもできる。
【図面の簡単な説明】
【００６１】
【図１】本発明に係る自然循環型沸騰水型原子炉の流力振動試験方法の第１の実施形態の実施状況を示す模式的縦断面図。
【図２】本発明の第１の実施形態に係る自然循環型沸騰水型原子炉の模式的縦断面図。
【図３】本発明に係る自然循環型沸騰水型原子炉の流力振動試験方法の第２の実施形態の実施状況を示す模式的縦断面図。
【図４】本発明に係る自然循環型沸騰水型原子炉の流力振動試験方法の第３の実施形態の実施状況を示す模式的縦断面図。
【図５】本発明に係る自然循環型沸騰水型原子炉の流力振動試験方法の第４の実施形態の実施状況を示す模式的縦断面図。
【図６】本発明に係る自然循環型沸騰水型原子炉の流力振動試験方法の第５の実施形態の実施状況を示す模式的縦断面図。
【図７】本発明に係る自然循環型沸騰水型原子炉の流力振動試験方法の第６の実施形態の実施状況を示す模式的縦断面図。
【図８】本発明に係る自然循環型沸騰水型原子炉の流力振動試験方法の第７の実施形態の実施状況を示す模式的縦断面図。
【図９】本発明に係る自然循環型沸騰水型原子炉の流力振動試験方法の第８の実施形態の実施状況を示す模式的縦断面図。
【符号の説明】
【００６２】
１…原子炉圧力容器（原子炉容器）、２…下部プレナム、３…炉心、３ａ…燃料集合体（原子燃料）、４…分割チムニ、５…上部プレナム、６…セパレータ、７…ドライヤ、８…主蒸気配管、９…給水配管、１０…ダウンカマ、１１…制御棒駆動機構ハウジング、１２…コンプレッサ、１３…仮設空気配管、１４…空気注入具、１５…液面、１８、１９…計装配管、２０…差圧伝送器、２１…ポンプ、２２…電源ケーブル、２３…ジェットポンプ、２５…吐出側配管、２６…フランジ、２７…外部ポンプ、２８…貯蔵水プール、２９…ＧＤＣＳ配管、３０…閉止蓋、３１…シュラウド、３３…ヒータ、４０…駆動水ポンプ、４２…吸込み側配管、４４…重力落下式緊急炉心冷却系（ＧＤＣＳ）、４６…ＧＤＣＳ弁、５２…吸込み側配管、５５…吐出側配管、５７…外部ポンプ、６０…上蓋、６２…開口
【図１】
0004675829.tif 000002
【図２】
0004675829.tif 000003
【図３】
0004675829.tif 000004
【図４】
0004675829.tif 000005
【図５】
0004675829.tif 000006
【図６】
0004675829.tif 000007
【図７】
0004675829.tif 000008
【図８】
0004675829.tif 000009
【図９】
0004675829.tif 000010